(57)【特許請求の範囲】
【請求項１】
複数の支持部の間をヒンジ部で結合した支持具を、長尺の被覆シートの上に任意の間隔で配置し、挟持部材により前記被覆シートを各支持具に挟持し、前記支持具の端部に孔を形成し、前記孔にピンを通し敷設部分に打ち込むことにより前記支持部の端部を固定する農業用被覆シートを装着したハウス基材であって、
前記挟持部材は各支持部毎に設けられ、前記被覆シートを貫通する突起と嵌合孔結合によりシートを各支持具間に挟持固定し、
敷設されたハウス基材の任意の支持部の両端の支持部を押さえ金具を嵌合させて補強し、トンネル形状の変形を防止するように構成した農業用被覆シートを装着したハウス基材。
【請求項２】
複数の支持部の間をヒンジ部で結合した支持具を、長尺の被覆シートの上に任意の間隔で配置し、挟持部材により前記被覆シートを各支持具に挟持し、前記支持具の端部に孔を形成し、前記孔にピンを通し敷設部分に打ち込むことにより前記支持部の端部を固定する農業用被覆シートを装着したハウス基材であって、
前記挟持部材は各支持部毎に設けられ、前記被覆シートを貫通する突起と嵌合孔結合によりシートを各支持具間に挟持固定し、
前記ヒンジ部は、支持部の間の結合部を支持部の横断面より小さな断面形状にして支持部と一体に構成し、
敷設されたハウス基材の任意の支持部の両端の支持部を押さえ金具を嵌合させて補強し、トンネル形状の変形を防止するように構成した農業用被覆シートを装着したハウス基材。
【発明の詳細な説明】
【０００１】
【発明の属する技術分野】
本発明は、農作物の成長を増進し保護するためのハウス等を簡単に敷設することができる農業用被覆シートを装着したハウス基材に関する。
【０００２】
【従来の技術】
野菜等の成長を促進したり、霜などから苗を保護したりするためにトンネル形状のハウスが敷設される。
図８は農業用ハウスの従来の敷設例を説明するための概略図である。
ハウス支持部材３０は中央部を逆Ｕの字に曲げ両端部２０ａ，２０ｂをそれぞれＬ字形に曲げることにより予め所定の形状に加工してある。
Ｌ字形に曲げられた両端部２０ａ，２０ｂを図８に示すように任意の間隔で苗床２２に跨いで土の中に差し込んでいき、その上から被覆シート２１を被せてトンネル状のハウスを作る。
【０００３】
【発明が解決しようとする課題】
このハウスを構成するハウス支持部材３０の形は、図８の他に三角形状や、それ以上の多角形状のものが存在する。
ところで、苗床の大きさや、野菜の大きさ等によってはその成長度合いに合ったトンネル形状や大きさにする必要がある。
上述したようにそのトンネル形状は複数種類あるものの、必ずしもその苗床等に適した形状のものを見つけることができるとは限らない。
【０００４】
ハウスを作る場合には、適当な間隔で１個ずつハウス支持材を立てていき、その後に被覆シート２１を被せ、被覆シート２１をハウス支持材に固定する作業を行なわなければならず、手間がかかっていた。
本発明の課題は、トンネル形状を予め決められた形ではなく、ハウスを作る際、その目的にあった形で敷設することができ、しかもロール状のハウス基材を展張しながら順番に支持具を土に固定していくことにより、簡単にハウスを作ることができる農業用被覆シートを装着したハウス基材を提供することにある。
【０００５】
【課題を解決するための手段】
前記課題を解決するために本発明による請求項１記載の農業用被覆シートを装着したハウス基材は、
複数の支持部の間をヒンジ部で結合した支持具を、長尺の被覆シートの上に任意の間隔で配置し、挟持部材により前記被覆シートを各支持具に挟持し、前記支持具の端部に孔を形成し、前記孔にピンを通し敷設部分に打ち込むことにより前記支持部の端部を固定する農業用被覆シートを装着したハウス基材であって、
前記挟持部材は各支持部毎に設けられ、前記被覆シートを貫通する突起と嵌合孔結合によりシートを各支持具間に挟持固定し、
敷設されたハウス基材の任意の支持部の両端の支持部を押さえ金具を嵌合させて補強し、トンネル形状の変形を防止するように構成されている。
本発明による請求項２記載の農業用被覆シートを装着したハウス基材は、
複数の支持部の間をヒンジ部で結合した支持具を、長尺の被覆シートの上に任意の間隔で配置し、挟持部材により前記被覆シートを各支持具に挟持し、前記支持具の端部に孔を形成し、前記孔にピンを通し敷設部分に打ち込むことにより前記支持部の端部を固定する農業用被覆シートを装着したハウス基材であって、
前記挟持部材は各支持部毎に設けられ、前記被覆シートを貫通する突起と嵌合孔結合によりシートを各支持具間に挟持固定し、
前記ヒンジ部は、支持部の間の結合部を支持部の横断面より小さな断面形状にして支持部と一体に構成し、
敷設されたハウス基材の任意の支持部の両端の支持部を押さえ金具を嵌合させて補強し、トンネル形状の変形を防止するように構成されている。
【０００６】
【作用】
上記構成によれば、ハウス基材を展張しながら支持具を土中に差し込んでいくだけでハウスを作ることができ、簡単に敷設することができる。また、支持具を土中から抜き、真っ直ぐに伸ばしてロール状に巻くことにより簡単にハウスを解体することができる。
【０００７】
【発明の実施の形態】
以下、図面を参照して本発明の実施の形態を詳しく説明する。
図１は、農業用被覆シートを装着したハウス基材の実施の形態を説明するための図で、展張した状態を示す図である。
支持具１６は３個の支持部１，２および３をヒンジ部７および８で結合することにより構成されている。
ヒンジ部７および８は、図３（ａ）に示すように各支持部の枢支部１０ａおよび１０ｂに止めピン１１を差し込んで構成されている。
支持部１，２および３の上にはそれぞれ３個の突起１ａ，１ｂ，１ｃ，２ａ，２ｂ，２ｃ，３ａ，３ｂおよび３ｃが設けられている。
【０００８】
図４に支持部２に対する挟持部材５の例を示してある。
突起２ａ，２ｂおよび２ｃの先端部の直径は根元より少し大きめになっており、挟持部材５の嵌合部５ａ，５ｂおよび５ｃを支持部２の突起２ａ，２ｂおよび２ｃに嵌合させると、上記先端部により容易に抜けないような構造になっている。他の支持部１および３も同様な構造になっている。
支持部１，２および３を真っ直ぐに伸ばした支持具１６を任意の間隔で配置しておき、その上から長尺の被覆シート１２を被せていく。挟持部材４，５および６を支持部１，２および３の突起１ａ，１ｂ，１ｃ，２ａ，２ｂ，２ｃ，３ａ，３ｂおよび３ｃに嵌合させることにより支持具１６に被覆シート１２を取り付ける。順番に並べた他の支持具についても同様にして挟持部材により被覆シート１２を取り付けていくことにより図１のようなハウス基材を作ることができる。
【０００９】
図２は図１で作ったハウス基材をロール状に巻いた状態を示す斜視図である。この状態からハウスを敷設することができる。
図５（ａ）は、図１のハウス基材でハウスを敷設した例を示す斜視図である。苗床１８を跨いで支持具１６の先端部を土中に差し込み、図２のロールを展張していき、つぎの支持具１６を土中に差し込んでいく。ヒンジ部２０および２１の曲げ具合は自由に選択することができるので、例えばヒンジ部２０’，２１’のようにして点線で示すようなトンネル形状にして敷設の際に任意の形状にすることができる。
【００１０】
図５（ｂ）は支持具１７の支持部を４個にした場合の敷設例である。
このようなハウス基材を用いると、五角形状のトンネル形状にすることができる。ヒンジ部２３，２４および２５は自由に曲げることができるので、種々の五角形状を選択することができる。
図６は支持具２の支持部を２個にした場合の敷設例である。図６（ａ）に示すように三角形状のトンネル形状にすることができる。
図６（ｂ）に示すように支持部の端部にピン孔２８を設けてピン２９により土中に固定するようにしたものである。
通常は支持部の端部を土中で差し込むだけで、十分であるが、支持部の端部にピン孔２８を設けておくことにより、必要に応じて土中での固定具合を補強することができる。
【００１１】
図７は、敷設したハウスをさらに補強するための押さえ金具を設けた例である。
苗床３３に敷設したハウスの上から両端部を曲げた押さえ金具を支持具３１に嵌合させ、トンネル形状が変形するのを防止している。
以上の実施の形態では、支持具のヒンジ部の形状として枢支部にピンを差し込んだ構造のものを示したが、他の形状にすることもできる。図３（ｂ）に示すように支持部の間を薄くして折曲部１５を形成し支持具を一体に構成することもできる。また、図３（ｃ）に示すように一方の支持部の一端を円形凹部１４に、他方の支持部の一端を円形突起１３にそれぞれ構成し、これらを嵌合させることによりヒンジ部を構成することができる。
【００１２】
【発明の効果】
以上、説明したように本発明は、任意の角度を曲げることができるヒンジによって結合されている複数の支持部により支持具を構成し、この支持具に被覆シートを取り付けた構造であるので、予めロール状に巻いておき、任意のトンネル形状にして支持具を土中に差し込み展張していくことにより、ハウスを任意の形状で容易に敷設することができる。
また、支持具を土中から抜き、支持部を真っ直ぐにしてロール状に巻き込むことによりハウスを簡単に解体することができる。
【図面の簡単な説明】
【図１】農業用被覆シートを装着したハウス基材の実施の形態を説明するための図で、展張した状態を示す図である。
【図２】図１のハウス基材をロール状で巻いた状態を示す斜視図である。
【図３】ヒンジ部の各実施の形態を説明するための図である。
【図４】支持部に被覆シートを装着する構成の一例を説明するための斜視図である。
【図５】（ａ）は図２のロール状ハウス基材を展張してハウスを敷設した例を示す概略斜視図、（ｂ）は支持部を４つにしたロール状ハウス基材によってハウスを敷設した例を示す概略斜視図である。
【図６】（ａ）は支持部を２つにしたロール状ハウス基材によってハウスを敷設した例を示す概略斜視図、（ｂ）は支持部の先端部を土に固定するための構成例を説明するための図である。
【図７】敷設したハウスをさらに補強するための押さえ金具を設けた例を示す概略図である。
【図８】従来のハウスの構造を説明するための概略斜視図である。
【符号の説明】
１，２，３…支持部
４，５，６…挟持部材
７，８，２０，２１，２３，２４，２５，２７…ヒンジ部
１１…止めピン
１２…被覆シート
１３，１４…枢支部
１５…折曲部
１６，１７，２６…支持具
１８，１９…苗床
２８…ピン孔
２９…ピン
【図１】
0003766719.tif 000002
【図２】
0003766719.tif 000003
【図３】
0003766719.tif 000004
【図４】
0003766719.tif 000005
【図５】
0003766719.tif 000006
【図６】
0003766719.tif 000007
【図７】
0003766719.tif 000008
【図８】
0003766719.tif 000009